(57)【要約】【課題】  蓄電池を電源としても長時間発光することができるため、使用時に電源コードが不要なコードレス電飾什器を提供すること。【解決手段】  冷陰極放電ランプ１１と、蓄電池５と、蓄電池５を電源として冷陰極放電ランプ１１を駆動する駆動回路６と、冷陰極放電ランプ１１を覆う透明又は半透明のカバー１２とを組み立てて成る。カバー１２をトルソー型としても良い。蓄電池５及び駆動回路６を支持するベース１７と、冷陰極放電ランプ１１及びカバー１２を支持する上部ベース１３とが、長さ調節可能なシャフトで連結されることもある。【選択図】          図１
2006081620.tif 000002
【特許請求の範囲】
【請求項１】
冷陰極放電ランプと、蓄電池と、該蓄電池を電源として前記冷陰極放電ランプを駆動する駆動回路と、前記冷陰極放電ランプを覆う透明又は半透明のカバーとを組み立てて成るコードレス電飾什器。
【請求項２】
前記カバーがトルソー型である請求項１に記載のコードレス電飾什器。
【請求項３】
前記蓄電池及び駆動回路を支持するベースと、前記冷陰極放電ランプ及びカバーを支持する上部ベースとが、長さ調節可能なシャフトで連結されている請求項１又は２に記載のコードレス電飾什器。
【発明の詳細な説明】
【技術分野】
【０００１】
本発明は、商品展示用として好適なコードレス電飾什器に関する。
【背景技術】
【０００２】
一般的に、特に客の注意を引きたい商品は、マネキンに着せたり、単独で支柱に掛けたりして、目立つように展示している。
ところが、このような展示方法は非常にありきたりであって、特別な注意を引きにくく、展示効果が上がりにくい。
そこで、従来、支柱に照明用光源及び被展示体を係止する係止部を設け、照明用光源により被展示体を照明して、引き立てることができる展示用スタンドが提案されている（特許文献１参照）。
また、内部に照明体を設置したマネキンボディも公知である（特許文献２参照）。
【０００３】
【特許文献１】特開平７−３１３３１２号公報
【特許文献２】実開平７−４４５２６号公報
【発明の開示】
【発明が解決しようとする課題】
【０００４】
しかし、上記従来のものは、照明体と外部電源とを接続する電源コードが設けられているので、雑然とした印象を与えて体裁が悪いばかりか、売場の床に配線する必要があって段差が発生しやすく、この段差や電源コードに歩行者が躓いたり、物を引っ掛ける心配がある。
本発明が解決しようとする課題は、消費電力が少なく、蓄電池を電源としても長時間発光し続けるため、使用時に電源コードが不要であると共に、床への配線も必要ないコードレス電飾什器を提供することにある。
【課題を解決するための手段】
【０００５】
本発明のコードレス電飾什器は、冷陰極放電ランプと、蓄電池と、該蓄電池を電源として前記冷陰極放電ランプを駆動する駆動回路と、前記冷陰極放電ランプを覆う透明又は半透明のカバーとを組み立てて成る。
前記カバーをトルソー型としても良い。
前記蓄電池及び駆動回路を支持するベースと、前記冷陰極放電ランプ及びカバーを支持する上部ベースとが、長さ調節可能なシャフトで連結されることがある。
【発明の効果】
【０００６】
請求項１に係る発明によれば、消費電力が少ない冷陰極放電ランプを光源として用いることにより、蓄電池を電源としても長時間発光させることができ、この結果、使用時に電源コードが不要となって、体裁が良くなるばかりか、歩行者が躓いたり、物に引っかかることが無く、床に配線する必要も無いので、段差ができにくい。
請求項２に係る発明によれば、服飾品を人体の装着位置に相当する部分に取り付けて陳列すると、高い展示効果が得られる。
請求項３に係る発明によれば、設置空間の広さや高さに応じて、全体の高さを変更することができる。
【発明を実施するための最良の形態】
【０００７】
以下、本発明の実施例を、図面に基づいて詳細に説明する。
【実施例１】
【０００８】
図１は、実施例１に係るコードレス電飾什器の分解斜視図、図２は、組み立てた状態の正面図、図３は、各部材の電気的接続関係を示す説明図である。
コードレス電飾什器は、図１に示すように、それぞれ冷陰極放電ランプ１１を有する１対の発光ユニット８，９と、蓄電池５と、蓄電池５を電源として冷陰極放電ランプ１１を駆動するインバータ等より成る駆動回路６と、発光ユニット８，９を覆うカバー１２と、蓄電池５及び駆動回路６を支持するベース１７と、発光ユニット８，９及びカバー１２を支持する上部ベース１３とを組み立てて成る。
【０００９】
ベース１７は中空箱形であり、その底板１８は取り外し可能であって、底板１８の上面に蓄電池５及び駆動回路６が取り付けられる。
また、底板１８の上面縁部には、深放電防止保護回路３及び点灯・消灯スイッチ４が装着され、図３に示すように、点灯・消灯スイッチ４，蓄電池５及び駆動回路６がそれぞれ深放電防止保護回路３へそれぞれ電気的に接続されている。
そして、底板１８をベース１７の下面にビス１９で固定すると、蓄電池５及び駆動回路６がベース１７の内部に収納されると共に、深放電防止保護回路３及び点灯・消灯スイッチ４が外部に露出し、点灯・消灯スイッチ４を外部から操作でき、深放電防止保護回路３に充電器１のコネクタ２を着脱できるようになっている。
【００１０】
なお、深放電防止保護回路３には、充電用コネクタ感電防止回路及び短絡防止回路が組み込まれている。
また、図１及び図２に示すように、ベース１７の上面中心部には中空の下部シャフト１６が立設され、底板１８の下面四隅部にはそれぞれキャスタ２０が装着されて、コードレス電飾什器を簡単に移動できるようになっている。
【００１１】
上部ベース１３は中空箱形であり、その上面に一対の発光ユニット８，９が平行に立設されている。
各発光ユニット８，９は、上下に対向したソケット２５と、上下のソケット２５を適宜間隔をあけて支持する支持シャフト２６と、上下のソケット２５間に支持シャフト２６と平行に架設された透明アクリル製の保護パイプ１０と、保護パイプ１０に挿通されて上下のソケット２５にはめ込まれた冷陰極放電ランプ１１とを備える。
上部ベース１３の下面中心部には、下部シャフト１６の外径より僅かに大きい内径を有する上部シャフト１５の上端が取り付けられている。
【００１２】
上部シャフト１５の下端部は下部シャフト１６の上端部外周に摺動自在に嵌合され、上部シャフト１５の下端寄りを貫通するネジ孔に外面から止めネジ１４が螺合されている。
従って、上部シャフト１５を下部シャフト１６に対して摺動させて、止めネジ１４をねじ込むことにより、上部シャフト１５及び下部シャフト１６から成るシャフトの長さを適宜調節して、その長さで固定することができる。
また、シャフト１５，１６に挿通された高耐圧シリコン被覆線７を介して、駆動回路６と発光ユニット８，９のソケット２５とが接続されている（図３）。
【００１３】
カバー１２は、透明又は半透明の繊維補強プラスチックを素材とし、頭部及び両手足部の無い人体形状の所謂トルソ型に形成されている。
また、カバー１２の両脚部の下面は開口しており、この開口を通してそれぞれ発光ユニット８，９をカバー１２の内部に挿入し、カバー１２の両脚下端面を上部ベース１３の上面に載置する。
冷陰極放電ランプ１１を点灯すると、透明又は半透明のカバー１２を通して発光し、照明効果と共に高い装飾効果が得られる。
なお、冷陰極放電ランプ１１は保護パイプ１０に挿通されて保護されているので、カバー１２を着脱する際に、冷陰極放電ランプ１１にぶつかってこれを破損させることが無い。
【００１４】
冷陰極放電ランプ１１は消費電力が少ないので、コードレス電飾什器を使用しない時間、例えば休日、閉店時間、昼間等に、充電器１のコネクタ２を深放電防止保護回路３へ接続し、外部電源から蓄電池５に充電しておけば、夜間の営業中は冷陰極放電ランプ１１の発光を継続することができる。
また、カバー１２はトルソー型なので、下着等の服飾品を人体の装着位置に相当する部分へ取り付けると、高い陳列効果が得られ、内側からの光によっていっそう注意を引き付けることができる。
【実施例２】
【００１５】
図４は、実施例２に係るコードレス電飾什器の分解斜視図、図５は、コードレス電飾什器の正面図である。
このコードレス電飾什器は、いわゆる行灯型であって、そのカバー１２’は、薄厚の箱形に組み立てられたフレーム２２と、フレーム２２の前後面に取り外し可能に装着された透明又は半透明の透光板２１とを有する。
フレーム２２の前部裏面には、矩形枠２７が上方へ突出するよう取り付けられ、フレーム２２の下部の左右前後部には、支持脚２８が設けられる。支持脚２８の下端にそれぞれキャスタ２０が装着されている。
透光板２１は、透明アクリル等を素材とし、フレーム２２の幅よりも狭く、矩形枠２７の幅よりも広く形成され、矩形枠２７の下端から上端を覆う高さを有する。
従って、フレーム２２の両側部は、透光板２１が配置されずに露出しており、この部分を利用して陳列品支持具等を吊り下げることができる。
【００１６】
また、本実施例のコードレス電飾什器は、上部ベース１３を備えておらず、ベース１７の上面に発光ユニット２３，２４が立設され、さらにその上方に発光ユニット８，９が設けられる。
発光ユニット８，９，２３，２４は、実施例１の発光ユニット８，９と同様の構造を有する。
ベース１７内には一対のインバータから成る駆動回路６が収納され、一方の駆動回路６が下段の発光ユニット２３，２４に接続され、他方の駆動回路６が上段の発光ユニット８，９に接続されている。
【００１７】
そして、ベース１７はフレーム２２の下方において支持脚２８の中央部に取り付けられ、ベース１７の上面に起立した発光ユニット８，９，２３，２４は、カバー１２’の内部に収納されている。
その他の構成及び使用方法は、実施例１とほぼ同様なので、同一部分同一符号を付して、詳細な説明を省略する。
なお、カバーの形状は、上記実施例１に限定されず、円柱型灯の他の形状とすることができ、発光ユニットの長さ、数、配置個所等は、カバーの大きさや形状に応じて適宜変更することが可能である。
【図面の簡単な説明】
【００１８】
【図１】実施例１を示すコードレス電飾什器の分解斜視図。
【図２】実施例１を示すコードレス電飾什器の正面図。
【図３】実施例１において各部材の電気的接続関係を示す説明図。
【図４】実施例２を示すコードレス電飾什器の分解斜視図。
【図５】実施例２を示すコードレス電飾什器の正面図。
【符号の説明】
【００１９】
１  充電器
２  コネクタ
３  深放電防止保護回路
４  点灯・消灯スイッチ
５  蓄電池
６  駆動回路
７  高耐圧シリコン被覆線
８，９  発光ユニット
１０  保護パイプ
１１  冷陰極放電ランプ
１２，１２’  カバー
１３  上部ベース
１４  止めネジ
１５  上部シャフト
１６  下部シャフト
１７  ベース
１８  底板
１９  ビス
２０  キャスタ
２１  透光板
２２  フレーム
２３，２４  発光ユニット
２５  ソケット
２６  支持シャフト
２７  矩形枠
２８  支持脚
【図１】
2006081620.tif 000003
【図２】
2006081620.tif 000004
【図３】
2006081620.tif 000005
【図４】
2006081620.tif 000006
【図５】
2006081620.tif 000007